(57)【要約】【課題】ロングメモリに格納された波形データの注目部分をサーチするのにあたり、比較的簡単な操作で短時間に効率よく行うことができる波形測定装置を実現すること。【解決手段】波形メモリに取り込まれた波形データの注目部分をサーチするように構成された波形測定装置において、前記波形メモリに格納されている波形データを順次読み出すメモリ読み出し制御部と、このメモリ読み出し制御部から読み出された波形データが所定のサーチ条件を満たしたときタイミング信号を出力するトリガ判定部と、このトリガ判定部から出力されるタイミング信号をカウントするカウンタと、このカウンタのカウント値を書き込みアドレスとして前記サーチ条件が満たされたときの前記波形メモリのアドレスを逐次格納するバッファメモリとで構成され、前記バッファメモリに格納されたサーチ点を任意に選択することにより、選択されたサーチ点の波形を表示させることを特徴とするもの。  【選択図】                    図１
2010054223.tif 000002
【特許請求の範囲】
【請求項１】
波形メモリに取り込まれた波形データの注目部分をサーチするように構成された波形測定装置において、
前記波形メモリに格納されている波形データを順次読み出すメモリ読み出し制御部と、  このメモリ読み出し制御部から読み出された波形データが所定のサーチ条件を満たしたとき、タイミング信号を出力するトリガ判定部と、
このトリガ判定部から出力されるタイミング信号をカウントするカウンタと、
このカウンタのカウント値を書き込みアドレスとして前記サーチ条件が満たされたときの前記波形メモリのアドレスを逐次格納するバッファメモリとで構成され、
前記バッファメモリに格納されたサーチ点を任意に選択することにより、選択されたサーチ点の波形を表示させることを特徴とする波形測定装置。
【請求項２】
一連のサーチ動作の終了時点で、前記カウンタのカウント値を表示させることを特徴とする請求項１記載の波形測定装置。
【請求項３】
サーチ点が見つかった時点でサーチ点の波形を表示させるとともに、サーチ動作は継続してバックグラウンドで行われることを特徴とする請求項１または２に記載の波形測定装置。
【発明の詳細な説明】
【技術分野】
【０００１】
本発明は、波形測定装置に関し、詳しくは、オシロスコープのような波形測定器における波形サーチ機能の改善に関するものである。
【背景技術】
【０００２】
オシロスコープのような波形測定器では、一旦波形メモリに取り込んだ波形データに対して所望のサーチ用のレベルを設定し、波形の立ち上がりや立ち下りなど、注目部分をサーチできるように構成されている。
【０００３】
図３は、このような波形測定装置の主要部の一例を示すブロック図である。図３において、入力端子１からアンプ２に入力されたアナログ波形信号は、Ａ／Ｄ変換器３で波形データとしてデジタル化され、メモリ書き込み制御部４を介して波形メモリ５に格納される。
【０００４】
波形データのサーチにあたっては、波形メモリ５に格納されている波形データを、メモリ読み出し制御部６を介して順次読み出してトリガ判定部７に入力する。トリガ判定部７は、あらかじめ設定されたサーチレベルに基づいて、エッジやレベル判定を行う。
【０００５】
トリガ判定部７に読み出された波形データが所定の判定条件を満たしたとき、トリガ判定部７は判定信号をメモリ読み出し制御部６に制御信号として送り、波形メモリ５からの波形データの読み出しを停止させるとともに、そのときのメモリアドレスを出力させる。そして、この読み出されたアドレスをサーチ点とし、このサーチ点を中心とした波形のズーム表示を行う。
【０００６】
ところで、近年、波形測定器の波形メモリ５は大容量化によるロングメモリ化が図られており、１回の測定で長時間の波形データ記録が可能である。長時間分が記録された波形データでは、サーチ条件に合致するような波形変化が多数記録されることがある。
【０００７】
この場合、波形観測者が本来観測したい波形変化部分をサーチするためには、「サーチスタートボタンを押して波形サーチ結果を確認する」という煩わしいサーチ動作を複数回繰り返し行わなければならない。
【０００８】
そして、サーチ点は１点だけであることから、たとえば数個前のサーチ点と比較するためには、必要回数のサーチ動作を行わなければならなかった。
【０００９】
特許文献１には、先に検出したトリガポイントを基点とする信号波形と、次に検出したトリガポイントを基点とする信号波形とを確実かつ容易に比較可能に表示する波形記録装置の構成が記載されている。
【００１０】
【特許文献１】特開２００４−８５５０１号公報
【発明の開示】
【発明が解決しようとする課題】
【００１１】
本発明は、このような問題点に鑑みてなされたものであり、その目的は、ロングメモリに格納された波形データの注目部分をサーチするのにあたり、比較的簡単な操作で短時間に効率よく行うことができる波形測定装置を実現することにある。
【課題を解決するための手段】
【００１２】
このような問題を解決するため、請求項１記載の発明は、
波形メモリに取り込まれた波形データの注目部分をサーチするように構成された波形測定装置において、
前記波形メモリに格納されている波形データを順次読み出すメモリ読み出し制御部と、  このメモリ読み出し制御部から読み出された波形データが所定のサーチ条件を満たしたとき、タイミング信号を出力するトリガ判定部と、
このトリガ判定部から出力されるタイミング信号をカウントするカウンタと、
このカウンタのカウント値を書き込みアドレスとして前記サーチ条件が満たされたときの前記波形メモリのアドレスを逐次格納するバッファメモリとで構成され、
前記バッファメモリに格納されたサーチ点を任意に選択することにより、選択されたサーチ点の波形を表示させることを特徴とする。
【００１３】
請求項２記載の発明は、請求項１記載の波形測定装置において、
一連のサーチ動作の終了時点で、前記カウンタのカウント値を表示させることを特徴とする。
【００１４】
請求項３記載の発明は、請求項１または２に記載の波形測定装置において、
サーチ点が見つかった時点でサーチ点の波形を表示させるとともに、サーチ動作は継続してバックグラウンドで行われることを特徴とする。
【発明の効果】
【００１５】
これにより、ロングメモリに格納された波形データの注目部分のサーチを、比較的簡単な操作で短時間に効率よく行うことができる。
【発明を実施するための最良の形態】
【００１６】
以下、本発明について図面を参照して説明する。図１は本発明による波形測定装置の一実施例の主要部を示すブロック図であり、図３と共通する部分には同一の符号を付けている。図１では、図３の構成に、メモリ読み出し制御部６から出力されるメモリアドレスを格納するバッファメモリ８と、判定条件を満たしたときにトリガ判定部７からバッファメモリ８に出力されるタイミング信号をカウントするカウンタ９とが設けられている。
【００１７】
図１において、入力端子１からアンプ２に入力されたアナログ波形信号は、Ａ／Ｄ変換器３で波形データとしてデジタル化され、メモリ書き込み制御部４を介して波形メモリ５に格納される。
【００１８】
波形データのサーチにあたっては、波形メモリ５に格納されている波形データを、メモリ読み出し制御部６を介して順次読み出してトリガ判定部７に入力する。トリガ判定部７は、あらかじめ設定されたサーチレベルに基づいて、エッジやレベル判定を行う。
【００１９】
トリガ判定部７に読み出された波形データが所定の判定条件を満たしたとき、トリガ判定回路７はタイミング信号をバッファメモリ８およびカウンタ９に出力する。このタイミング信号に基づき、サーチ条件が満たされたときの波形メモリ５のアドレスをバッファメモリ８に書き込むとともに、カウンタ７のカウント値をインクリメントしてバッファメモリ８の書き込みアドレスを更新する。
【００２０】
図３の従来構成では、サーチ条件が満たされたとき、メモリ読み出し制御部６の動作を停止させていたが、本発明では、波形メモリ５に取り込んだ波形データの全領域に対して連続的にトリガ判定回路７で条件検出を行い、順次、条件が満たされたときの波形メモリ５のアドレスをカウンタ７のカウント値に基づいて逐次更新されるバッファメモリ８のアドレスに書き込んで保存していく。
【００２１】
図２はこのような波形データとバッファメモリ８へのアドレス書き込みの動作説明図であり、立ち上がりエッジサーチの例を示している。図２のように波形データの全域にわたって複数のサーチ条件を満たすサーチ点がある場合、カウンタ７のカウント値に基づいて逐次更新されるバッファメモリ８のアドレスに、各サーチ点のアドレスが順次格納されていく。
【００２２】
一連のサーチ動作終了後、波形観測者は、たとえばジョグシャトルのようなユーザインターフェースを用いて、順次サーチ点を選択し、サーチ点の波形を図示しない波形表示部に表示する。
【００２３】
このように構成することにより、バッファメモリ８には、波形メモリ５に取り込まれた波形データの全領域にわたってあらかじめサーチすることにより検出されたサーチ点アドレスが書き込まれているので、波形データの全域にわたってサーチ点を１点ずつ判定しながら順次サーチ動作を行う従来の場合に比べて、格段に操作性が向上する。
【００２４】
すなわち、従来例では、波形データの全域にわたってサーチ点を１点ずつ判定していたので、過去にサーチした点に戻って表示したい場合には再度サーチ動作を１点ずつ行わなければならなかったが、本発明ではバッファメモリ８には波形データの全域にわたるサーチ点情報が格納されているので、これらバッファメモリ８に格納されているサーチ点情報に基づき所望のサーチ点へ前後自由に瞬時に移動してそのサーチ点の波形を表示させることができる。
【００２５】
また、特許文献１には、前述のように、先に検出したトリガポイントを基点とする信号波形と、次に検出したトリガポイントを基点とする信号波形とを確実かつ容易に比較可能に表示する波形記録装置の構成が記載されているが、特許文献１では波形表示の重ね合わせに焦点を当てていることに対して本発明は波形のサーチの高速化を目的としている。
【００２６】
そこで、本発明では、波形メモリに格納された波形データをサーチした結果得られたサーチ点のアドレスを、サーチ点の波形表示には関係なく、バッファメモリ８に逐次書き込んでいく。
【００２７】
一般に、波形サーチは、ロングメモリになるほど波形メモリの読み出し検索に時間がかかることになる。特許文献１において、サーチ結果波形を確認して次のサーチを行うのにあたり、そこから再度サーチした場合には時間待ちさせられることになり、軽快な操作感は得られない。
【００２８】
本発明では、最初の波形サーチの間に、バックグランドでサーチ点のアドレスを逐次バッファメモリ８に書き込んでいるので、次のサーチ点を表示するのにはバッファメモリ８に書き込んだアドレスを参照するだけでよく、サーチ時間がかからず、軽快な操作感が得られる。
【００２９】
なお、一連のサーチ動作の終了時点で、カウンタ９のカウント値を表示するようにしてもよい。カウンタ９のカウント値は、サーチ設定条件に対するサーチ結果の個数であり、サーチ設定条件の変更により、サーチ結果がどのように変化するかが確認できる。サーチ結果が多い場合は、有意義なサーチとはいえない場合が多い。このような場合、サーチ結果の個数を確認しながら、サーチ条件を変更することが可能になり、有意義なサーチを行うことができる。
【００３０】
また、サーチ点が１つでも見つかった時点で、サーチ点の波形を表示してもよい。この場合、サーチ動作は継続してバックグラウンドで行われる。このような動作にすれば、サーチスタートから波形表示までのレスポンスを速くすることができる。
【００３１】
以上説明したように、本発明によれば、ロングメモリに格納された波形データの注目部分をサーチするのにあたり、比較的簡単な操作で短時間に効率よく行える波形測定装置を実現できる。
【図面の簡単な説明】
【００３２】
【図１】本発明の一実施例の主要部を示すブロック図である。
【図２】図１の動作説明図である。
【図３】従来の波形測定装置の一例を示すブロック図である。
【符号の説明】
【００３３】
１  入力端子
２  アンプ
３  Ａ／Ｄ変換器
４  メモリ書き込み制御部
５  波形メモリ
６  メモリ読み出し制御部
７  トリガ判定部
８  バッファメモリ
９  カウンタ
【図１】
2010054223.tif 000003
【図２】
2010054223.tif 000004
【図３】
2010054223.tif 000005